(57)【要約】【課題】スキャンした画像データに対するページ種類の各種設定（ＭｉｘｅｄＭｅｄｉａ）を行うために専用のスキャンユーティリティを提供し、従来のスキャンのみの設定を行うスキャンユーティリティにＭｉｘｅｄＭｅｄｉａの機能を付加して、スキャン、及びＭｉｘｅｄＭｅｄｉａの指定に基づいて印刷ジョブを生成することを目的とする。【解決手段】画像形成装置に対して走査、及び走査した画像データのページ種類に関する指定を行うためのユーザインタフェースを有し、前記ユーザインタフェースにてページ種類に関する指定内容を入力するページ指定入力手段と、前記走査画像保存手段で保存した画像データを前記画像読取装置システム内に取り込んで保存する外部データ保存手段と、前記ページ指定入力手段で入力したページ種類に関する指定内容に基づいて印刷ジョブを生成する印刷ジョブ画像生成手段と、を備えたことを特徴とする画像形成装置。【選択図】        図１
2006166174.tif 000002
【特許請求の範囲】
【請求項１】
原稿等の記録材に記録された画像を露光走査する走査手段と、前記走査手段による露光走査で得られた光学像を電子的な画像データに変換する光電変換手段と、ホストコンピュータに伝送する画像を生成する画像生成手段とを有する画像形成装置において、
画像形成装置に対して走査、及び走査した画像データのページ種類に関する指定を行うためのユーザインタフェースを有し、前記ユーザインタフェースにてページ種類に関する指定内容を入力するページ指定入力手段と、前記走査手段で走査した複数の画像データをネットワークに接続されているホストコンピュータ内に保存する走査画像保存手段と、前記走査画像保存手段で保存した画像データを前記画像読取装置システム内に取り込んで保存する外部データ保存手段と、前記ページ指定入力手段で入力したページ種類に関する指定内容に基づいて印刷ジョブを生成する印刷ジョブ画像生成手段と、
を備えたことを特徴とする画像形成装置。
【請求項２】
前記走査、及びページ種類に関する各種指定を行うためのユーザインタフェースでは、解像度、用紙サイズ、カラーモード等の走査に関する設定の項目以外に、ページ種類に関する各種指定の項目として、ページ範囲、両面印刷、用紙の種類、用紙の給紙元、章の先頭ページを有することを特徴とする請求項１記載の画像形成装置。
【請求項３】
画像形成装置は、走査、及び走査した画像データのページ種類に関する指定を行うためのユーザインタフェース上に、走査した画像データの面付け指定を行うための面付け指定入力手段を有し、上記印刷ジョブ画像生成手段にて、上記ページ指定入力手段で入力したページ種類に関する指定内容と、上記面付け指定入力手段で入力した面付けに関する指定内容とを組み合わせた指定内容に基づいて印刷ジョブを生成することを特徴する請求項１記載の画像形成装置。
【請求項４】
前記光電変換手段は、前記画像生成手段上、またはホストコンピュータ上で動作し、単独で動作可能なソフトウエア、または他のソフトウエアから呼び出されるＴＷＡＩＮ  Ｐｌｕｇ−ｉｎスキャナドライバとして機能することを特徴する請求項１記載の画像形成装置。
【請求項５】
画像形成装置は、印刷ジョブ画像生成手段で生成した画像データをネットワークに接続されている各々の画像形成装置に転送する画像転送手段を有することを特徴とする請求項１記載の画像形成装置。
【請求項６】
画像形成装置は、ネットワークを介して接続された情報処理装置からの指示に基づいて動作し、前記光電変換手段により得られた画像データを該情報処理装置に転送する転送手段を有することを特徴とする請求項１記載の画像形成装置。
【発明の詳細な説明】
【技術分野】
【０００１】
本発明は、原稿等に記録された画像を光学的に走査（スキャン）することにより読取り、スキャンした複数の画像データをユーザが任意に指定した内容に基づいて印刷する場合の読取技術、及び画像生成技術係る画像形成装置に関する。
【背景技術】
【０００２】
従来、原稿等に記録された画像を光学的にスキャンすることにより読取り、デジタルデータに変換して入力する画像形成装置が知られている。
【０００３】
この種の画像形成装置では、ドキュメント・フィーダ（ＤＦ）、またはプラテンを用いたスキャナからスキャンし、そのスキャンした複数の画像データをページ種類に関する設定に基づいて印刷する場合、プリンタドライバ等の印刷実行手段を用いて印刷する方法が知られている（例えば、特許文献１）。
【特許文献１】特開２００３−３３５０３４号公報
【発明の開示】
【発明が解決しようとする課題】
【０００４】
しかし、ユーザがスキャンした画像データに対するページ種類の各種設定を行う場合、印刷を行うためのプリンタドライバのＧＵＩ画面上で設定することが必須であり、スキャンを行うユーティリティのＧＵＩ画面上では当設定を行うことが困難である。また、画像処理専用のアプリケーションを用いてページ種類の設定を行う方法は知られているが、本発明の目的であるスキャンした画像データに対するページ種類の各種設定をスキャンのユーティリティのＧＵＩ画面上で行う技術は知られていない。
【０００５】
本発明は、このような従来技術の問題点に鑑みてなされたもので、その課題は、スキャンするユーティリティのＧＵＩ画面上で、スキャンした画像データに対するページ種類の各種設定を効率よくできるようにすることである。
【課題を解決するための手段】
【０００６】
上記課題を解決するために、原稿等の記録材に記録された画像を露光走査する走査手段と、前記走査手段による露光走査で得られた光学像を電子的な画像データに変換する光電変換手段と、ホストコンピュータに伝送する画像を生成する画像生成手段とを有する画像形成装置において、画像形成装置に対して走査、及び走査した画像データのページ種類に関する指定を行うためのユーザインタフェースを有し、前記ユーザインタフェースにてユーザが指定した各種指定内容を入力するページ指定入力手段と、前記走査手段で走査した複数の画像データをネットワークに接続されているホストコンピュータ内に保存する走査画像保存手段と、前記走査画像保存手段で保存した画像データを前記画像読取装置システム内に取り込んで保存する外部データ保存手段と、前記ページ指定入力手段で入力したページ種類に関する指定内容に基づいて印刷ジョブを生成する印刷ジョブ画像生成手段と、を備えたことを特徴とするものである。
【発明の効果】
【０００７】
本発明によれば、スキャンした複数のページの画像データに対してページ種類に関するに各種設定を行うスキャンユーティリティを提供することにより、ユーザが指定した各種設定内容に基づいて容易に印刷ジョブを生成することが可能な画像形成装置を実現できるという効果を有する。
【発明を実施するための最良の形態】
【０００８】
以下、本発明の実施の形態を、図面を参照して説明する。
【実施例】
【０００９】
図１は、本発明を適用した情報処理システム（画像形成装置）のシステム構成図である。図１において、リーダ部１、プリンタ部２、及び画像入出力制御部３は、マルチファンクションプリンタを構成する部分であり、このマルチファンクションプリンタは、ネットワークを介して、コンピュータ１１、ネットワークサーバ１２等の外部機器に接続されている。
【００１０】
リーダ部１は、原稿の画像を光学的に読取って光電変換し、原稿画像に応じたデジタルの画像データをプリンタ部２及び画像入出力制御部３に出力する。プリンタ部２は、リーダ部１及び画像入出力制御部３から送られた画像データを、例えば電子写真方式で記録紙上に記録する。画像入出力制御部３は、リーダ部１及びプリンタ部２に接続されており、ファクシミリ部４、ファイル部５、ネットワークインターフェース部７、ＬＩＰＳ（ＬＢＰ  Ｉｍａｇｅ  Ｐｒｏｃｅｓｓｉｎｇ  Ｓｙｓｔｅｍ）フォーマッタ部８、ポストスクリプト（ＰＳ）フォーマッタ部９、コア部１０などから構成されている。
【００１１】
ファクシミリ部４は、電話回線を介して受信した圧縮画像データを伸長して、この伸長された画像データをコア部１０へ転送し、また、コア部１０から転送された画像データを圧縮して、この圧縮された圧縮画像データを、電話回線を介して送信する。
【００１２】
ファイル部５には、光磁気ディスクドライブユニット６が接続されており、ファイル部５は、コア部１０から転送された画像データを圧縮し、この画像データを検索するためのキーワードとともに光磁気ディスクドライブユニット６内の光磁気ディスクに記憶させる。また、ファイル部５は、コア部１０を介して転送されたキーワードに基づいて、光磁気ディスクに記憶されている圧縮画像データを検索し、得られた圧縮画像データを読出して伸長し、伸長された画像データをコア部１０へ転送する。
【００１３】
ネットワークインターフェース部７は、パーソナルコンピュータ（ＰＣ）、ワークステーション（ＷＳ）等のコンピュータ１１とコア部１０との間のインターフェース制御を行う。ネットワークサーバ１２は、ネットワーク制御を行う。フォーマッタ部８、９は、コンピュータ１１から転送されたＰＤＬ（ページ記述言語）データをプリンタ部２で記録できる画像データに展開するものである。
【００１４】
コア部１０については後述するが、コア部１０は、リーダ部１、ファクシミリ部４、ファイル部５、ネットワークインターフェース部７、フォーマッタ部８、９の相互間でのデータの流れを制御するものである。
【００１５】
図２は、リーダ部１及びプリンタ部２を含むマルチファンクションプリンタの機械的構成を示す断面図である。
【００１６】
リーダ部１の自動原稿給送装置１０１では、複数枚の原稿３０２がスキャンする面を上向きにして原稿載置台３０１に載置される。そして、原稿載置台３０１に載置された原稿は、最終頁から順に１枚ずつ表裏反転してプラテンガラス１０２上へ給送され、原稿の読取動作が終了した後、プラテンガラス１０２上の原稿が排出される。
【００１７】
なお、原稿載置台３０１には、載置された原稿のサイズを検知する原稿サイズセンサ３０１ａが設けられている。この原稿サイズセンサ３０１ａは、例えば、原稿載置台３０１に載置された複数の原稿の各辺を揃えるための原稿セットガイド（図示省略）の位置を検知することにより、原稿のサイズを検知するように構成されている。
【００１８】
リーダ部１は、原稿がプラテンガラス（原稿台、読取台）１０２上に搬送されると、ランプ１０３を点灯した状態でスキャナユニット１０４を移動させることにより、原稿を露光走査する。この時の原稿からの反射光は、ミラー１０５、１０６、１０７、及びレンズ１０８によってＣＣＤイメージセンサ（以下「ＣＣＤ」という）１０９へ導かれる。
【００１９】
このようにして走査された原稿の画像光は、ＣＣＤ１０９によって光電変換される。ＣＣＤ１０９から出力される画像データは、Ａ／Ｄ変換等の処理が施された後、プリンタ部２及び画像入出力制御部３のコア部１０へ転送される。
【００２０】
プリンタ部２のレーザドライバ２２１は、レーザ発光部２０１を駆動するものであり、リーダ部１から出力された画像データに応じたレーザ光をレーザ発光部２０１から発光させる。このレーザ光は感光ドラム２０２に照射され、感光ドラム２０２にはレーザ光に応じた潜像が形成される。この感光ドラム２０２の潜像の部分には現像器２０３によって現像剤が付着される。
【００２１】
そして、レーザ光の照射開始と同期したタイミングで、カセット２０４又は２０５から記録紙を給紙して転写部２０６へ搬送し、感光ドラム２０２に付着された現像剤を記録紙に転写する。現像剤が転写された記録紙は定着部２０７に搬送され、定着部２０７の熱と圧力により現像剤が記像紙に定着される。定着部２０７を通過した記録紙は、片面記録が設定されている場合は、排出ローラ２０８によってそのままソータ２２０に排出され、ソータ２２０は、排出された記録紙をそれぞれのピンに収納して記録紙の仕分けを行う。なお、ソータ２２０では、仕分けが設定されていない場合は最上ビンに記録紙を収納する。
【００２２】
また、両面記録が設定されている場合は、排出ローラ２０８の位置まで記録紙を搬送した後、排出ローラ２０８の回転方向を逆転させ、フラッパ２０９によって記録紙を再給紙搬送路へ導く。また、多重記録が設定されている場合は、記録紙を排出ローラ２０８の位置まで搬送しないでフラッパ２０９によって再給紙搬送路へ導く。再給紙搬送路へ導かれた記録紙は上述したタイミングで転写部２０６へ給紙される。また、フェースアップ排紙する場合は、反転排紙ユニット２３０をそのまま素通りして、ソータ２２０に排紙される。
【００２３】
一方、フェースダウン排紙の場合は、反転ユニット２３０で排紙方向を逆転させて排紙する。この場合、記録紙はいったん２３１の位置まで搬送され、搬送方向を逆にして後ろから排紙される。
【００２４】
図３は、リーダ部１の電気的な内部構成を示すブロック図である。
【００２５】
ＣＣＤ１０９から出力された画像データに対してＡ／Ｄ・ＳＨ部１１０でアナログ／デジタル変換が行われるとともに、シェーディング補正が行われる。Ａ／Ｄ・ＳＨ部１１０によって処理された画像データは、画像処理部１１１を介してプリンタ部２へ転送されるとともに、インターフェース部１１３を介して画像入出力制御部３のコア部１０へ転送される。
【００２６】
ＣＰＵ１１４は、操作部１１５で設定された設定内容に応じて画像処理部１１１及びインターフェース１１３を制御する。例えば、操作部１１５の操作によりトリミング処理を行って複写を行う複写モードが設定されている場合は、画像処理部１１１により、画像データに対するトリミング処理を行わせてプリンタ部２へ転送させる。また、操作部１１５の操作によりファクシミリ送信モードが設定されている場合は、インターフェース１１３により、画像データと設定モードに応じた制御コマンドとをコア部１０へ転送させる。
【００２７】
このようなＣＰＵ１１４で実行される制御プログラムは、メモリ１１６に記憶されており、ＣＰＵ１１４は、メモリ１１６を参照しながら制御を行う。また、メモリ１１６は、ＣＰＵ１１４の作業領域としても使われる。
【００２８】
図４は、コア部１０の電気的な内部構成を示すブロック図である。
【００２９】
リーダ部１からの画像データは、インターフェース部１２２を介してデータ処理部１２１へ転送されるとともに、リーダ部１からの制御コマンドは、インターフェース部１２２を介してＣＰＵ１２３へ転送される。データ処理部１２１は、画像の回転処理や変倍処理などの画像処理を行うものであり、リーダ部１からデータ処理部１２１へ転送された画像データは、リーダ部１から転送された制御コマンドに応じて、インターフェース部１２０を介してファクシミリ部４、ファイル部５、ネットワークインターフェース部７へ送られる。
【００３０】
コンピュータ１１から送信されてきた画像を表すＰＤＬデータは、ネットワークインターフェース部７、インターフェース部１２０を介してコア部１０のＣＰＵ１２３に入力される。すると、ＣＰＵ１２３は、そのＰＤＬデータがＬＩＰＳとポストスクリプトのいずれの言語で記述されているかを判定し、対応するフォーマッタ部８又は９へ転送して画像データとして展開させる。この展開された画像データは、データ処理部１２１に転送された後、ファクシミリ部４やプリンタ部２へ転送される。
【００３１】
ファクシミリ部４からコア部１０へ送られた画像データは、データ処理部１２１へ転送された後、プリンタ部２やファイル部５、ネットワークインターフェース部７へ転送される。
【００３２】
また、ファイル部５からコア部１０へ送られた画像データは、データ処理部１２１へ転送された後、ブリンタ部２やファクシミリ部４、ネットワークインターフェース部７へ転送される。
【００３３】
ＣＰＵ１２３は、メモリ１２４に記憶されている制御プログラム、及びリーダ部１から転送された制御コマンドに従って、上記のような制御を行う。また、メモリ１２４は、ＣＰＵ１２３の作業領域としても使われる。
【００３４】
ネットワークインターフェース部７には、ＭＩＢ（Ｍａｎａｇｅｍｅｎｔ  Ｉｎｆｏｒｍａｔｉｏｎ  Ｂａｓｅ）と呼ばれるデータベースが構築されており、ＳＮＭＰ（Ｓｉｍｐｌｅ  Ｎｅｔｗｏｒｋ  Ｍａｎａｇｅｍｅｎｔ  Ｐｒｏｔｏｃｏｌ）プロトコルを用いてネットワーク上のコンピュータと通信し、プリンタの管理が可能になっている。また、部門ＩＤごとに設定可能なプリント枚数やその他の各種設定を、装置の操作部１１５あるいはネットワーク上のコンピュータ１１から行うことができるようになっている。
【００３５】
このように、コア部１０を中心にして、原稿画像の読取り、画像のプリント、画像の送受信、画像の保存、コンピュータ１１に対するデータの入出力などの各種の機能を、単独又は複合的に実行させることができる。
【００３６】
次に、コンピュータ１１からの指示に基づくスキャン動作について詳細に説明する。なお、スキャンには、原稿自動給送装置１０１に載置された複数枚の原稿を連続的にスキャンするＤＦスキャンと、原稿台（プラテンガラス１０２）にマニュアルで載置された原稿をスキャンするプラテンスキャンの２種類がある。
【００３７】
図５は、コンピュータ１１の表示部に表示されるスキャンユーティリティ４００のＧＵＩ画面である。なお、スキャンユーティリティ４００は、アプリケーションのプラグインとして使用するＴＷＡＩＮドライバタイプのものと、ユーティリティ自体で使用することができるアプリケーションタイプのものがあるが、ＧＵＩ画面は同一である。
【００３８】
図５のスキャンユーティリティ４００のＧＵＩ画面において、まず、Ｃｈｏｏｓｅ  Ｄｅｖｉｃｅ４０１でスキャンを実行させるべき画像読取装置システムを選択する。
【００３９】
次に、Ｓｏｕｒｃｅ４０２でスキャンの種類を選択する。自動原稿給送装置１０１を使用するＤＦスキャンの場合はＤＦを、自動原稿給送装置１０１を使用しないプラテンスキャンの場合はＰｌａｔｅｎを選択する。Ｓｉｄｅｓ４０３では、ＤＦスキャンの動作モードで原稿の片面をスキャンするか、または両面をスキャンするかを選択する。なお、プラテンスキャンの場合は、片面スキャンのみ有効である。
【００４０】
Ｓｃａｎ  Ｓｉｚｅ４０４では、スキャンするサイズを選択する。プラテンスキャンの場合は、スキャン範囲を設定し、ＤＦスキャンの場合は、画像読取り後のスキャンデータのサイズを設定する。このＳｃａｎ  Ｓｉｚｅ４０４で設定可能なスキャンサイズとしては、ＡＵＴＯ、Ａ３、Ａ４、Ａ４Ｒ、Ａ５、Ｂ４、Ｂ５、Ｂ５Ｒ、１１×１７、Ｌｅｔｔｅｒ、ＬｅｔｔｅｒＲ、Ｓｔａｔｅｍｅｎｔがある。
【００４１】
ＡＵＴＯが設定されると、ＤＦスキャンの場合は、自動原稿給送装置１０１の原稿載置台３０１に設けられた原稿サイズセンサ３０１ａにより検知された原稿サイズが使用され、プラテンスキャンの場合は、プレスキャンで原稿サイズを検知した領域でスキャンが行われる。Ｒｅｓｏｌｕｔｉｏｎ４０５の解像度では、スキャンの解像度を設定する。Ｃｏｌｏｒ  Ｍｏｄｅ４０６では、フルカラー、またはグレースケールのスキャンかを設定する。デフォルト設定は、フルカラーである。
【００４２】
Ｐｒｅ  Ｓｃａｎボタン４０９がクリックされることにより、原稿のプレスキャンが実行される。プレスキャンが実行されると、プレビュースクリーン４０７に、実際にスキャンした画像が表示され、スキャン画像の確認やスキャンエリアの設定等を行うことができる。スキャンした画像の情報がＵｎｉｔｓ４２３、Ｗｉｄｔｈ４２４、Ｈｅｉｇｈｔ４２５に表示され、入力可能な状態となる。Ｉｍａｇｅ  Ｓｉｚｅ４２６はスキャンした画像のデータ容量である。
【００４３】
Ｓｃａｎボタン４０８をクリックすることにより、スキャンが実行される。ＤＦスキャンでは、４０１から４０６の全ての設定が終了した後に、Ｓｃａｎボタン４０８をクリックしてスキャンを実行させる。プラテンスキャンでは、４０１から４０６の全ての設定とＰｒｅ  Ｓｃａｎボタン４０９のクリックによりプレスキャンを行った後に、Ｓｃａｎボタン４０８をクリックしてスキャンを実行させる。Ｃａｎｃｅｌボタン４１０は、スキャンをキャンセルする時に使用する。これは、スキャン実行前、スキャン実行中共に有効であり、また、プレスキャン中のキャンセルも可能である。
【００４４】
Ｓｃａｎ  ｔｏ  Ｍｉｘｅｄ  Ｍｅｄｉａ４５０の機能は本発明の特徴であり、１つのスキャンデータ（印刷ジョブ）に複数の異なる用紙を指定して印刷する機能である。例えば、表紙と本文を別の用紙に印刷したり、ページ範囲を指定して、それぞれ異なる用紙に印刷することができる。また、両面ジョブには各章の開始ページを指定することができる。任意のページに対して章の開始ページ、ページ範囲、用紙の種類、両面、給紙段を設定する。
【００４５】
Ｓｃａｎ  ｔｏ  Ｉｍｐｏｓｉｔｉｏｎボタン４５０は、スキャンしたデータの製本用レイアウトへの面付け機能を実行すうために選択する。
【００４６】
Ｓｃａｎ  ｔｏ  Ｍｉｘｅｄ  Ｍｅｄｉａ４５０、及びＳｃａｎ  ｔｏ  Ｉｍｐｏｓｉｔｉｏｎ４５１の２つの機能については、下記に詳述する。
【００４７】
次に、スキャンユーティリティ４００上のＳｃａｎ  ｔｏ  Ｍｉｘｅｄ  Ｍｅｄｉａ４５０を実行したときの動作、及び各種設定内容について詳細に説明する。Ｓｃａｎ  ｔｏ  Ｍｉｘｅｄ  Ｍｅｄｉａ４５０とは、スキャンしたデータ（印刷ジョブ）を印刷する場合、印刷ジョブ内のページ種類の異なる用紙を使用するかどうかを設定する機能である。Ｓｃａｎボタン４０８をクリックしてスキャンを実行する前、またはスキャンを実行した後に、本オプションの設定を行う。以下、本実施系では、本機能の名称を「Ｓｃａｎ  ｔｏ  Ｍｉｘｅｄ  Ｍｅｄｉａ」と呼ぶ。
【００４８】
図６は、コンピュータ１１の表示部に表示されるＳｃａｎ  ｔｏ  Ｍｉｘｅｄ  ＭｅｄｉａのＧＵＩ画面４７０である。
【００４９】
まず、Ｃｈａｐｔｅｒ  Ｓｔａｒｔ４７１では、各章の開始ページを入力して、章設定を行う。開始ページはコンマ（，）で区切って入力する（例：１３，２６，３８，）。書類の偶数ページを指定した場合は、印刷時に白紙が挿入されるため、奇数ページが開始ページとなる。特に、章分けされたジョブの両面印刷を行う場合に便利である。
【００５０】
Ｐａｇｅ  Ｒａｎｇｅ４７２では、用紙種類、両面、及び給紙段の設定を使用するページ範囲を指定する。複数の連続するページ番号を入力する場合は、「２−５」のように番号の間にハイフンを入力する。また、「−５」と入力すると最初のページから５ページまでが指定され、「５−」と入力すると５ページから最後のページまでが指定される。同一の用紙種類、用紙種類、両面、及び給紙段の設定を使用するページ、またはページ範囲は、コンマで区切って一緒に入力する（例：「２，５，７」、「４−５，９−１０」）。ただし、単数ページとページ範囲を組み合わせて入力することは出来ない。また、白紙を挿入する場合は、その場所に「＾」を入力する。例えば、「＾６」と入力すると、６ページ目の前に白紙が挿入される。
【００５１】
Ｄｕｐｌｅｘ４７３では、両面印刷をする場合の廃止方向を指定する。Ｄｕｐｌｅｘ４７３には、「ＯＦＦ」、「Ｔｏｐ−Ｔｏｐ」、「Ｔｏｐ−Ｂｏｔｔｏｍ」の３つの選択オプションがあり、初期設定は「ＯＦＦ」である。「ＯＦＦ」は、片面印刷を行う。「Ｔｏｐ−Ｔｏｐ」は、表と裏で上下の方向が一致し、両面印刷を行う。「Ｔｏｐ−Ｂｏｔｔｏｍ」は、表と裏で上下の方向が逆になり、両面印刷を行う。
【００５２】
Ｍｅｄｉａ  Ｔｙｐｅ４７４では、使用する用紙の種類を選択する。Ｍｅｄｉａ  Ｔｙｐｅ４７４には、「Ｐｌａｉｎ  Ｐａｐｅｒ（普通紙）」、「ＯＨＰシート」、「Ｈｅａｖｙ  Ｐａｐｅｒ（厚紙）」、「Ｅｘｔｒａ  Ｈｅａｖｙ  Ｐａｐｅｒ（最厚口）」、「Ｔｈｉｎ  Ｐａｐｅｒ（薄紙）」、「Ｃｏａｔｅｄ  Ｐａｐｅｒ（コート紙＜普通紙＞）」、「Ｃｏａｔｅｄ  Ｈｅａｖｙ  Ｐａｐｅｒ（コート紙＜厚紙＞）」、「Ｃｏａｔｅｄ  Ｅｘｔｒａ  Ｈｅａｖｙ  Ｐａｐｅｒ（コート紙＜最厚口＞）」の８つの選択オプションがある。初期設定は、「Ｐｌａｉｎ  Ｐａｐｅｒ（普通紙）」である。
【００５３】
Ｐａｐｅｒ  Ｓｏｕｒｃｅ４７５では、使用する給紙段を選択する。Ｐａｐｅｒ  Ｓｏｕｒｃｅ４７５には、「Ａｕｔｏ  Ｓｅｌｅｃｔ（自動用紙選択）」、「Ｄｒａｗｅｒ１（カセット１）」、「Ｄｒａｗｅｒ２（カセット２）」、「ＳＢ（手差し）」、「Ｐａｐｅｒ  Ｄｅｃｋ（ペーパーデッキ）」の５つの選択オプションがある。初期設定は、「Ａｕｔｏ  Ｓｅｌｅｃｔ（自動用紙選択）」である。なお、「自動用紙選択」を選択すると、指定した用紙サイズがセットされた給紙段が自動的に選択される。
【００５４】
上記、Ｃｈａｐｔｅｒ  Ｓｔａｒｔ４７１、Ｐａｇｅ  Ｒａｎｇｅ４７２、Ｄｕｐｌｅｘ４７３、Ｍｅｄｉａ  Ｔｙｐｅ４７４、Ｐａｐｅｒ  Ｓｏｕｒｃｅ４７５の設定が完了したら、次にＡｄｄボタン４７６をクリックする。設定した内容が、Ｓｅｌｅｃｔｉｏｎ  Ｌｉｓｔ４７９に一覧表示される。また、設定内容を変更する場合は、まず、Ｓｅｌｅｃｔｉｏｎ  Ｌｉｓｔ４７９の欄で変更項目を含む行をクリックする。設定を変更後、Ｍｏｄｉｆｙボタン４７７をクリックすると、再度Ｓｅｌｅｃｔｉｏｎ  Ｌｉｓｔ４７９に変更内容が表示される。また、設定内容を削除する場合は、Ｓｅｌｅｃｔｉｏｎ  Ｌｉｓｔ４７９の欄で変更項目を含む行をクリックして、最後にＤｅｌｅｔｅボタン４７８をクリックするとＳｅｌｅｃｔｉｏｎ  Ｌｉｓｔ４７９から削除される。
【００５５】
以上全ての設定が完了したら、ＯＫボタン４８０をクリックして、Ｓｃａｎ  ｔｏ  Ｍｉｘｅｄ  Ｍｅｄｉａの設定を終了する。設定をキャンセルする場合は、Ｃａｎｃｅｌボタン４８１をクリックする。
【００５６】
また、設定完了後、設定した内容に基づきスキャンデータ（印刷ジョブ）のプレビューが、スキャンユーティリティ４００上のプレビュースクリーン４０７上に表示され、ユーザがページ種類に関する設定内容を容易に確認することが可能である。
【００５７】
図７は、自動原稿給紙装置１０１を用いたスキャン（ＤＦスキャン）の処理のフローチャートである。Ｓｃａｎ  ｔｏ  Ｍｉｘｅｄ  Ｍｅｄｉａ４５０の機能を実行して、自動原稿給紙装置１０１を用いて片面スキャンを実行させた場合における、リーダ部１、及び画像入出力制御部３の流れを、図７のフローチャートに基づいて詳細に説明する。
【００５８】
まず、リーダ部１（ＣＰＵ１１４）は、ステップＳ１１において、コア部１０から片面をスキャンするコマンドを受信する。自動原稿給紙装置１０１は最初の原稿を原稿台に給紙する。次に、ステップＳ１２にて自動原稿給送装置１０１にエラーが発生しているか否かを確認する。自動原稿給送装置１０１のエラーは、原稿給紙／排紙時のジャム、自動原稿給送装置１０１が正確にセットされていない状態等で発生する。自動原稿給送装置１０１にエラーが発生している場合は、ステップＳ１３に進んで、所定のエラー処理を行う。
【００５９】
自動原稿給送装置１０１にエラーが発生していない場合は、ステップＳ１４に進み、最初の原稿を原稿台に給紙する。なお、Ｓｉｚｅ４０４でＡＵＴＯが設定された場合は、原稿載置台３０１に設けられた原稿サイズセンサ３０１ａにより検知された原稿サイズを判別し、その原稿サイズに基づいてスキャナの読取り幅を確定する。また、Ｓｉｚｅ４０４の設定がＡＵＴＯ以外の場合は、ＧＵＩで設定された原稿サイズに基づいてスキャナの読取り幅を確定する。
【００６０】
本実施形態では、読取り幅として、原稿台の半面をスキャンするＳｍａｌｌ  Ｓｉｚｅ  Ｓｃａｎ（ＳＳＳ）：副走査２１６ｍｍ×主走査２９７ｍｍと、原稿台の全面をスキャンするＬａｒｇｅ  Ｓｉｚｅ  Ｓｃａｎ（ＬＳＳ）：副走査４３２ｍｍ×主走査２９７ｍｍとの２種類を想定している。従って、原稿の副走査方向の幅が２１６ｍｍ以下の場合はＳＳＳ、２１６ｍｍ以上の場合はＬＳＳの読取り幅が確定する。次に、ステップＳ１５に進み、最初の原稿のスキャンを行う。ステップＳ１６では、スキャンした画像データがリーダ部１からコア部１０に転送され、画像入出力制御部３は画像データをメモリ１２４に確保する。最初の原稿のスキャンが終了した後、ステップＳ１７に進み、次にスキャンすべき原稿が自動原稿給紙装置１０１にあるか否かを判別する。次にスキャンすべき原稿がある場合は、次のような処理を行う。
【００６１】
すなわち、ステップＳ１５でスキャンが行われると、その画像データに対して画像入出力制御部３により画像処理（レンダリング）が行われるが、この画像処理が完了する前に、ステップＳ１８で、前の原稿（画像読取済みの原稿）の排紙、及び次の原稿の給紙を済ませる。次に、ステップＳ１９にて、Ｎ枚目の原稿のスキャンを行う。ステップＳ２０では、画像データをメモリ１２４に確保する。そして、次の原稿が無くなるまでステップＳ１８、Ｓ１９、Ｓ２０の処理を繰り返し、自動原稿給紙装置１０１に載置された全ての原稿が無くなり次第（ステップＳ２１）、ステップＳ２２に進み、原稿台（プラテンガラス１０２）にある画像読取済みの原稿を排紙する。次に、ステップＳ２３に進み、Ｓｃａｎ  ｔｏ  Ｍｉｘｅｄ  Ｍｅｄｉａ４１３の設定内容に基づいて、コア部１０内のデータ処理部１２１により、メモリ１２４にある画像データの処理を行い、印刷ジョブを生成する。生成した印刷ジョブは、ＰＤＦ（Ｐｏｒｔａｂｌｅ  Ｄｏｃｕｍｅｎｔ  Ｆｏｒｍａｔ）形式で光磁気ディスクドライブユニット６内の光磁気ディスクに記憶される。
【００６２】
次に、１つの印刷ジョブに複数の異なる用紙を設定して印刷を行うＳｃａｎ  ｔｏ  Ｍｉｘｅｄ  Ｍｅｄｉａ４５０の機能を用いて、印刷ジョブを生成する場合のページ種類の各種設定の例を図８を用いて説明する。ここでは、８ページの片面のスキャンデータ（印刷ジョブ）を用いることにする。
【００６３】
図８−１は、８ページの両面設定を行って印刷したい場合である。設定方法は、「Ｄｕｐｌｅｘ４７３＝Ｔｏｐ−Ｔｏｐ」と設定する。
【００６４】
図８−２は、８ページの両面ジョブで、１−３頁を第一章、４−８頁を第二章として印刷したい場合である。設定方法は、「Ｃｈａｐｔｅｒ  Ｓｔａｒｔ４７０＝４」と設定する。
【００６５】
図８−３は、章の先頭ページ（章紙）の裏に印刷をしたくない場合（Ｐａｒｔ−１）である。設定方法は、「Ｃｈａｐｔｅｒ  Ｓｔａｒｔ４７０＝４，  ５」と設定することで章紙の裏に印刷しないことが可能となる。
【００６６】
図８−４は、合紙として色紙（普通紙）を指定したい場合である。例えば、８ページの両面ジョブでページ４とページ５の間に合紙を挿入したい場合である。設定方法は、「Ｐａｇｅ  Ｒａｎｇｅ４７１＝４＾」と設定する。
【００６７】
図８−５は、章紙として色紙を使いたい場合である。例えば、例）  ８頁の両面ジョブで、１−３頁を第一章、４−８頁を第二章として印刷し、章紙（ページ４／ページ５）を色紙で印刷したい場合である。設定方法は、「Ｃｈａｐｔｅｒ  Ｓｔａｒｔ４７０＝４，  Ｐａｇｅ  Ｒａｎｇｅ＝４−５」  と設定する。
【００６８】
図８−６と図８−７は、章の先頭ページ（章紙）の裏に印刷をしたくない場合（Ｐａｒｔ−２）である。Ｃｈａｐｔｅｒ  Ｓｔａｒｔ４７０の指定で章紙の裏には印刷したくない場合の設定方法を説明したが、Ｃｈａｐｔｅｒ  Ｓｔａｒｔ４７０機能ではなく、Ｄｕｐｌｅｘ４７３の指定を使用することでも実現可能である。例えば、８ページの両面ジョブで、１−３頁を第一章、４−８頁を第二章として（章紙の裏は白紙で）印刷したい場合。
【００６９】
図８−６の例の設定方法は、「Ｐａｇｅ  Ｒａｎｇｅ４７１＝４、  Ｄｕｐｌｅｘ４７３＝Ｏｆｆ」と設定する。
【００７０】
図８−７の例の設定方法は、「Ｐａｇｅ  Ｒａｎｇｅ４７１＝４、  Ｄｕｐｌｅｘ４７３＝Ｔｏｐ−Ｔｏｐ」と設定する。
【００７１】
図８−８は、文章全体は両面印刷したいが章紙として両面印刷不可な最厚口などを使用したい場合である。例えば、８ページの両面ジョブで、ページ４を章紙（最厚口）として指定したい場合である。設定方法は、「Ｃｈａｐｔｅｒ  Ｓｔａｒｔ４７０＝４、Ｐａｇｅ  Ｒａｎｇｅ４７１＝４、Ｄｕｐｌｅｘ４７３＝Ｏｆｆ」と設定する。
【００７２】
次に、Ｓｃａｎ  ｔｏ  Ｉｍｐｏｓｉｔｉｏｎ４１１の製本用レイアウトへの面付け機能について説明する。これは、スキャンした画像データをユーザが指定した面付け（レイアウト）設定に基づき面付けして、製本用の画像データ（印刷ジョブ）を生成する機能である。
【００７３】
図９は、コンピュータ１１の表示部に表示されるＳｃａｎ  ｔｏ  ＩｍｐｏｓｉｔｉｏｎのＧＵＩ画面である。
【００７４】
まず、スキャンした画像データ（印刷ジョブ）の面付け機能を実行するには、Ｓｃａｎ  ｔｏ  Ｉｍｐｏｓｉｔｉｏｎボタン４５１をクリックする。実行する場合は、ＯＮボタン４１２を選択する。本機能の初期設定はＯＦＦである。ＯＮボタン４１２がＯＮの状態で、Ｓｃａｎボタン４０８をクリックしてスキャンを実行すると、スキャンした画像データが保存され、Ｄｏｃｕｍｅｎｔ  Ｐａｇｅｓ４１４に記録内容がＰａｇｅ番号で表示される。Ｄｏｃｕｍｅｎｔ  Ｐａｇｅｓ４１４に表示されているＰａｇｅ番号を選択することにより、面付けする画像データが決定する。決定した画像データのＰａｇｅ番号の背景は青で表示される。
【００７５】
また、Ｄｏｃｕｍｅｎｔ  Ｐａｇｅｓ４１４に表示されている全ての画像データを選択する場合は、Ａｌｌボタン４１５を押す。また、ネットワーク上にある画像データを取り込んで、スキャンした画像データと組み合わせて面付けすることが可能である。画像データを取り込む場合、Ｉｍｐｏｒｔボタン４１６を押し、ネットワーク上にある画像データを選択する。
【００７６】
次にＴｅｍｐｌａｔｅ４１３で面付けしたいテンプレートを選択する。テンプレートの種類には、１−ｕｐ  Ｆｕｌｌ  Ｂｌｅｅｄ（１−ｕｐフルブリード）、２−ｕｐ  Ｐｅｒｆｅｃｔ（２−ｕｐ中とじ）、２−ｕｐ  Ｓａｄｌｅ（２−ｕｐ無線とじ）、３−ｕｐ  Ｔｒｉｆｏｌｄ  Ｂｒｏｃｈｕｒｅ（３−ｕｐ巻き三つ折）、４−ｕｐ  Ｇａｔｅ  Ｆｏｌｄ（４−ｕｐＷ字型折）、４−ｕｐ  Ｈｅａｄ  ｔｏ  Ｈｅａｄ（４−ｕｐ四つ折）、４−ｕｐ  Ｚ  Ｆｏｌｄ（４−ｕｐ内巻四つ折）の７種類がある。尚、各テンプレートの詳細説明については、下記の図６のテンプレート構成で説明する。
【００７７】
Ｐａｇｅ  Ｓｉｚｅ４１７では、製本する印刷ジョブの用紙サイズを設定する。用紙サイズには、Ａ３、Ａ４、Ａ４Ｒ、Ａ５、Ｂ４、Ｂ５、Ｂ５Ｒ、１１×１７、Ｌｅｔｔｅｒ、ＬｅｔｔｅｒＲ、Ｓｔａｔｅｍｅｎｔがある。Ｄｉｒｅｃｔｉｏｎ４１８では、面付けする画像データの向きを設定する。縦向きであればＰｏｒｔｒａｉｔ，横向きであればＬａｎｄｓｃａｐｅを設定する。Ｄｕｐｌｅｘ４１９では、印刷ジョブの両面印刷指定を行う。
【００７８】
Ｓｃａｌｅ４２０では、画像データの拡大縮小の設定を行う。Ｓｃａｌｅ４２０に拡大縮小の比率（％）を数字で入力する。Ｒｏｔａｔｅ４２１では、画像データの回転の設定を行う。デフォルト設定は０で、０〜３６０度が設定値である。また、面付けする印刷ジョブのレイアウトはプレビュースクリーン４０７にて確認することができる。４２６はレイアウトのサンプル表示である。
【００７９】
面付けする印刷ジョブが決定したら、最後に、Ｓａｖｅ  Ｄｏｃｕｍｅｎｔボタン４２２を押し、印刷ジョブを保存する。印刷ジョブは、光磁気ディスクドライブユニット６内の光磁気ディスクに保存される。また、印刷ジョブの保存形式はＰＤＦ（Ｐｏｒｔａｂｌｅ  Ｄｏｃｕｍｅｎｔ  Ｆｏｒｍａｔ）。
【００８０】
次に、７種類（１−ｕｐフルブリード、２−ｕｐ中とじ、２−ｕｐ無線とじ、３−ｕｐ巻き三つ折、４−ｕｐＷ字型折、４−ｕｐ四つ折、４−ｕｐ内巻四つ折）のＴｅｍｐｌａｔｅ４１３について詳細に説明する。図１０はテンプレートの構成図である。テンプレート「１−ｕｐフルブリード」は、シート一枚につき書類を１ページ印刷する場合に使用する。ページマークが用紙切断位置を示し、書類内容は、用紙の裁ち落し線を越えて印刷される。
【００８１】
図１０−１「２−ｕｐ中とじ」は、中とじ製本用の折り丁を作成する場合に使用する。全シートが中央線で一緒に二つ折される。「２−ｕｐ中とじ」のレイアウトは、仕上がりページ数が４の倍数の印刷ジョブ用に準備されている。シートが二つ折され綴じられた際に、全シートを通した連続ページが配置される。
【００８２】
図１０−２の「２−ｕｐ無線とじ」は、無線とじ製本用の折り丁作成する場合に使用する。各テンプレートは二つ折りされ、折られた形で重ねられる。「２−ｕｐ無線とじ」のレイアウトは、仕上がりページ数が４の倍数の印刷ジョブ用に準備されている。４ページごとにグループにされ、シートが二つ折された際、各シートには４つの連続ページが配置される。
【００８３】
図１０−３の「３−ｕｐ巻き三つ折」は、１枚のシートを三つ折したものです。「３−ｕｐ巻き三つ折」のレイアウトは、仕上がりページ数が６ページの印刷ジョブのみに使用できる。印刷ジョブが６ページ以外の場合は、エラーメッセージは表示される。
【００８４】
図１０−４の「４−ｕｐＷ字型折」は、一枚のシートを４つのセクションに折ったものである。一つの折線のみに負担をかけず、シート上で隣接するパネルが仕上がりでも隣接するように折られる。「４−ｕｐＷ字型折」のレイアウトは、仕上がりペース数が８ページの印刷ジョブのみに使用可能である。印刷ジョブが８ページ以外の場合は、エラーメッセージは表示される。通常、このレイアウトは、道路地図用に使用される。
【００８５】
図１０−５の「４−ｕｐ四つ折」は、両面印刷の各面に４ページずつ配置した小冊子を作成する際に使用する。各シートジョブの２ページを９０度回転し、シートを折って裁ち落し線で切断した際、仕上がり小冊子で各ページが正しく表示されるように配置されている。「４−ｕｐ四つ折」のレイアウトは、仕上がりページ数が１６の倍数の印刷ジョブ用に準備されている。ページは、各シートが４つ折りされ、裁ち落し線で切断され、中とじで綴じられた際に、全シートを通して連続した順になるように配置されている。このレイアウトでは、仕上がりの背に当たる部分のみに折り目が付いている。
【００８６】
図１０−６の「４−ｕｐ内巻四つ折」は、通常４つのセクションで構成されるパンフレットを作成する際に使用される。シートは、まず両端のパネル部分が内側に折られ、更にもう一度内側に折られる。「４−ｕｐ内巻四つ折」のレイアウトは、仕上がりページ数が１６ページの印刷ジョブのみ使用される。印刷ジョブが１６ページ以外の場合は、エラーメッセージは表示される。
【００８７】
次に、自動原稿給紙装置１０１を用いた片面スキャンにおける画像入出力制御部３（コア部１０）とリーダ部１との間の通信プロトコルについて詳細に説明する。
【００８８】
図１１は、自動原稿給紙装置１０１を用いた片面スキャン時の通信プロトコルを示す。片面スキャン時の原稿の給紙、排紙は、全て順方向の給紙、排紙モードで行うものとする。ここでは、画像入出力制御部３（コア部１０）がリーダ部１に送るコマンドの内容を、片面スキャンの動作の流れにそって説明する。
【００８９】
まず、ステップＳ１０１において自動原稿給送装置１０１の状態を確認する。自動原稿給送装置１０１にエラーが発生している場合は、エラー処理を行う。ステップＳ１０２では、コア部１０がリーダ部１を制御している状態にする。ステップＳ１０３において、最初の原稿を給紙する。ステップＳ１０４で、原稿サイズを検知する。原稿サイズの検知が完了すると、ステップＳ１０５に進み、検知した原稿サイズに応じたスキャン幅で最初の原稿をスキャンする。
【００９０】
次に、ステップＳ１０６で、スキャンが正常に終了したか否かを確認する。スキャンが正常に終了したら、ステップＳ１０７に進み、自動原稿給送装置１０１の状態と、次の原稿があるか否かを確認する。次の原稿が無い場合は、ステップＳ１１２に進む。次の原稿がある場合は、ステップＳ１０８に進む。
【００９１】
ステップＳ１０５でスキャンした画像データは、コア部１０に転送され、コア部１０内のデータ処理部１２１によりレンダリング処理が施される。このレンダリング処理では、設定に係る原稿サイズと一致するようにスキャン画像データを変倍加工する、スキャン画像データを圧縮する、色を補正する等の処理を行う。
【００９２】
リーダ部１は、レンダリング処理が完了する前に、ステップＳ１０８において、前の原稿を排紙し、次の原稿を給紙する。ステップＳ１０９で、給紙が正常に終了したか否かを確認し、給紙が正常に終了したら、ステップＳ１１０に進む。ステップＳ１１０でＮ枚目の原稿をスキャンする。
【００９３】
ステップＳ１１１でスキャンが正常に終了したか否かを確認し、スキャンが終了した後に、ステップＳ１１２で、自動原稿給送装置１０１に次の原稿があるか否かを確認する。次の原稿がある場合は、ステップＳ１０８に戻り、ステップＳ１０９、Ｓ１１０、Ｓ１１１、Ｓ１１２の処理を行う。原稿が無くなるまで、ステップＳ１０８からＳ１１２の処理を繰り返す。
【００９４】
ステップＳ１１０でスキャンした画像データは、コア部１０に転送され、レンダリング処理が施される。このレンダリング処理では、設定に係る原稿サイズと一致するようにスキャン画像データを変倍加工する、スキャン画像を圧縮する、色を補正する等の処理を行う。
【００９５】
リーダ部１は、レンダリング処理が完了する前に、ステップＳ１０８において、前の原稿を排紙し、次の原稿を給紙する。自動原稿給送装置１０１の原稿が無くなったら、ステップＳ１１３に進み、原稿台にある全ての原稿を排紙する。この原稿排紙が完了した後、ステップＳ１１４で、コア部１０は、リーダ部１に対する制御を解除する。
【００９６】
図１２は、ＤＦスキャンの両面スキャン時の通信プロトコルを示す。両面スキャン時の原稿の給紙、排紙は、全て順方向の給紙、排紙モードで行うものとする。原稿の裏面を表面に返すには、反転モードを使用する。ここでは、画像入出力制御部３（コア部１０）がリーダ部１に送るコマンドの内容を、両面スキャンの動作の流れにそって説明する。
【００９７】
まず、ステップＳ２０１において、自動原稿給送装置１０１の状態を確認する。自動原稿給送装置１０１にエラーが発生している場合は、エラー処理を行う。ステップＳ２０２では、コア部１０がリーダ部１を制御している状態にする。ステップＳ２０３で、最初の原稿を給紙する。両面スキャンでは、最初に原稿の裏面をスキャンするので、原稿を反転給紙する。ステップＳ２０４で、原稿サイズの検知を行う。原稿サイズの検知が完了すると、ステップＳ２０５に進み、最初の原稿の裏面をスキャンする。
【００９８】
次に、ステップＳ２０６で、スキャンが正常に終了したか否かを確認する。スキャンが正常に終了したら、ステップＳ２０７に進む。ステップＳ２０５でスキャンした画像データはコア部１０に転送され、コア部１０内のデータ処理部１２１により、レンダリング処理が施される。このレンダリング処理では、設定に係る原稿サイズと一致するようにスキャン画像データを変倍加工する、スキャン画像を圧縮する、色を補正する等の処理を行う。
【００９９】
リーダ部１は、レンダリング処理が完了する前に、ステップＳ２０７において、原稿の表面をスキャンするために原稿反転する。ステップＳ２０８で、反転が正常に終了したか否かを確認する。原稿反転処理が終了した後に、ステップＳ２０９に進む。ステップＳ２０９で、原稿の表面をスキャンする。ステップＳ２１０で、表面のスキャンが正常に終了したか否かを確認する。
【０１００】
ステップＳ２１１で、自動原稿給送装置１０１の状態と、次の原稿があるか否かを確認する。次の原稿が無い場合は、ステップＳ２２１に進む。次の原稿がある場合は、ステップＳ２１２に進む。ステップＳ２０９でスキャンした画像データは、コア部１０に転送され、コア部１０内のデータ処理部１２１により、レンダリング処理が施される。このレンダリング処理では、設定に係る原稿サイズと一致するようにスキャン画像データを変倍加工する、スキャン画像を圧縮する、色を補正する等の処理を行う。
【０１０１】
リーダ部１は、レンダリング処理が完了する前に、ステップＳ２１２において、前の原稿の排紙及び、Ｎ枚目の原稿の反転給紙を行う。ステップＳ２１３で、反転給紙が正常に終了したか否かを確認し、終了したらステップＳ２１４に進み、Ｎ枚目の原稿の裏面をスキャンする。ステップＳ２１５で、裏面のスキャンが正常に終了したか否かを確認する。
【０１０２】
ステップＳ２１４でスキャンした画像データは、コア部１０に転送され、コア部１０内のデータ処理部１２１により、レンダリング処理が施される。このレンダリング処理では、設定に係る原稿サイズと一致するようにスキャン画像データを変倍加工する、スキャン画像を圧縮する、色を補正する等の処理を行う。
【０１０３】
リーダ部１は、レンダリング処理が完了する前に、ステップＳ２１６において、原稿の表面をスキャンするために原稿を反転する。ステップＳ２１７で原稿の反転が正常に終了したか否かを確認する。反転終了後に、ステップＳ２１８に進み、Ｎ枚目の原稿の表面をスキャンする。ステップＳ２１９で、表面のスキャンが正常に終了したか否かを確認する。表面のスキャン終了後に、ステップＳ２２０で、自動原稿給送装置１０１に次の原稿があるか否かを確認する。次の原稿がある場合は、ステップＳ２１２に戻り、Ｓ２１２からＳ２２０までの処理を行う。原稿が無くなるまでこの処理を繰り返す。
【０１０４】
ステップＳ２１８でスキャンした画像データは、コア部１０に転送され、コア部１０内のデータ処理部１２１により、レンダリング処理が施される。このレンダリング処理では、設定に係る原稿サイズと一致するようにスキャン画像データを変倍加工する、スキャン画像を圧縮する、色を補正する等の処理を行う。
【０１０５】
リーダ部１は、レンダリング処理が完了する前に、ステップＳ２１２において、前の原稿の排紙及び、Ｎ枚目の原稿の反転給紙を行う。原稿が無くなったら、ステップＳ２２１に進み、原稿台にある全ての原稿を排紙する。原稿排紙が完了した後、ステップＳ２２２で、コア部１０は、リーダ部１に対する制御を解除する。
【０１０６】
なお、本発明は、上記実施形態に限定されることなく、例えば、スキャナ機能とプリント機能とを備えたマルチファンクションプリンタだけでなく、スキャナ機能だけを備えたスキャナ専用機に適用することも可能である。
【０１０７】
また、外部装置からの指示に応じて画像入力処理を行う装置だけでなく、自己の操作部からの指示に応じて画像入力処理を行う装置に適用してもよい。さらに、原稿に記録された画像だけでなく、フィルムに記録されたネガやポジの画像を読取る場合にも適用することが可能である。
【図面の簡単な説明】
【０１０８】
【図１】本発明を適用した情報処理（画像読取）システムのシステム構成図である。
【図２】マルチファンクションプリンタ（リーダ部及びプリンタ部）の機械的構成を示す断面図である。
【図３】リーダ部の電気的な内部構成を示すブロック図である。
【図４】コア部の電気的な内部構成を示すブロック図である。
【図５】スキャンユーティリティのＧＵＩを示す図である。
【図６】Ｓｃａｎ  ｔｏ  Ｍｉｘｅｄ  ＭｅｄｉａのＧＵＩを示す図である。
【図７】スキャンした画像の印刷ジョブを生成する処理を示すフローチャートである。
【図８】Ｓｃａｎ  ｔｏ  Ｍｉｘｅｄ  Ｍｅｄｉａのサンプル設定を示す図である。
【図９】Ｓｃａｎ  ｔｏ  ＩｍｐｏｓｉｔｉｏｎのＧＵＩを示す図である。
【図１０】Ｓｃａｎ  ｔｏ  Ｉｍｐｏｓｉｔｉｏｎのレイアウトを示す図である。
【図１１】ＤＦスキャンの片面スキャンの通信プロトコルを示す図である。
【図１２】ＤＦスキャンの両面スキャンの通信プロトコルを示す図である。
【符号の説明】
【０１０９】
１  リーダ部
２  プリンタ部
３  画像入出力制御部
７  ネットワークインターフェース部
１０  コア部
１１  コンピュータ
１０１  自動原稿給送装置
１０９  ＣＣＤ
１１４，１２３  ＣＰＵ
１１６，１２４  メモリ
１２１  データ処理部
３０１ａ  原稿サイズセンサ
４００  スキャンユーティリティ
４７０  Ｓｃａｎ  ｔｏ  Ｍｉｘｅｄ  ＭｅｄｉａのＧＵＩ画面
【図１】
2006166174.tif 000003
【図２】
2006166174.tif 000004
【図３】
2006166174.tif 000005
【図４】
2006166174.tif 000006
【図７】
2006166174.tif 000007
【図１０】
2006166174.tif 000008
【図１１】
2006166174.tif 000009
【図１２】
2006166174.tif 000010
【図５】
2006166174.tif 000011
【図６】
2006166174.tif 000012
【図８】
2006166174.tif 000013
【図９】
2006166174.tif 000014